(57)【要約】  【課題】  専用の光源を備えることなく、簡単且つ安価な構造で安定して液晶部を照明できる導光部を備えた画像読取装置を提供する。  【解決手段】  原稿に光を照射する光源と、原稿からの反射光に基づいて原稿の画像データを得る画像読取部４と、液晶部６１と前記液晶部６１の背面に配置された導光板６２とを備えた液晶表示部６と、前記光源から前記導光板６２に光を導く導光部を備え、前記光源からの光を前記液晶表示部６のバックライトとして使用する画像読取装置１であって、前記導光部を、前記光源の近傍であって前記光源の移動経路に沿って延出形成した前記導光板６２で構成される。  【選択図】  図１
2006019848.tif 000002
【特許請求の範囲】
【請求項１】
原稿に光を照射する光源と、原稿からの反射光に基づいて原稿の画像データを得る画像読取部と、液晶部と前記液晶部の背面に配置された導光板とを備えた液晶表示部と、前記光源から前記導光板に光を導く導光部を備え、前記光源からの光を前記液晶表示部のバックライトとして使用する画像読取装置であって、
前記導光部を、前記光源の近傍であって前記光源の移動経路に沿って延出形成した前記導光板で構成してある画像読取装置。
【請求項２】
原稿に光を照射する光源と、原稿からの反射光に基づいて原稿の画像データを得る画像読取部と、液晶部と前記液晶部の背面に配置された導光板とを備えた液晶表示部と、前記光源から前記導光板に光を導く導光部を備え、前記光源からの光を前記液晶表示部のバックライトとして使用する画像読取装置であって、
前記導光部を、前記光源の近傍に延出形成した前記導光板で構成するとともに、前記液晶部と前記導光板との間に蓄光部材を設けてある画像読取装置。
【発明の詳細な説明】
【技術分野】
【０００１】
本発明は、原稿に光を照射する光源と、原稿からの反射光に基づいて原稿の画像データを得る画像読取部と、液晶部と前記液晶部の背面に配置された導光板とを備えた液晶表示部と、前記光源から前記導光板に光を導く導光部を備え、前記光源からの光を前記液晶表示部のバックライトとして使用する画像読取装置に関する。
【背景技術】
【０００２】
画像読取装置、または当該画像読取装置が組み込まれた複写機などの画像形成装置では、従来、表示部に表示される情報を見易くするために液晶部の下部にＬＥＤや冷陰極管などの専用のバックライト用の光源を配置し、前記光源からの照明光が均一の光量となるように散乱させる導光板を介して照明していた。ここに、バックライト用の光源として白色ＬＥＤを使用する場合には特に部品コストが嵩むものであった。
【０００３】
一方、低価格の画像読取装置などを提供するために、バックライト用の光源を省略する場合もあるが、この場合には液晶部に表示される情報が見辛いという不都合があるために、文字の見やすさが犠牲にされていた。
【０００４】
そこで、一端が原稿照明用の光源近傍に配置され、他端が前記液晶表示部の導光板に接続された光ファイバなどでなる導光部を備え、前記光源からの光を前記液晶表示部のバックライトとして使用するものが提案されていた。
【特許文献１】特開２００３−１４３３７１号公報
【特許文献２】特開２００４−８０４７４号公報
【発明の開示】
【発明が解決しようとする課題】
【０００５】
しかし、上述した従来の原稿照明用の光源近傍からバックライト用の光を導く導光部を備えた画像読取装置では、照明用の光源が原稿の読取動作時に待機位置であるホームポジションから原稿の端部まで移動するために、導光部を光源の移動に対応して構成する必要があり、構成が煩雑になるという問題があった。
【０００６】
特に導光部として光ファイバを用いた場合には、光源の移動に対応して光ファイバの採光側の端部も移動可能に支持する必要があり、光ファイバの長さが増し、また部品点数も増すために部品費や組立コストも嵩むものとなっていた。
【０００７】
本発明は、上述の従来欠点に鑑み、専用の光源を備えることなく、簡単且つ安価な構造で安定して液晶部を照明できる導光部を備えた画像読取装置を提供する点にある。
【課題を解決するための手段】
【０００８】
上述の目的を達成するため、本発明による画像読取装置の第一の特徴構成は、特許請求の範囲の書類の請求項１に記載した通り、原稿に光を照射する光源と、原稿からの反射光に基づいて原稿の画像データを得る画像読取部と、液晶部と前記液晶部の背面に配置された導光板とを備えた液晶表示部と、前記光源から前記導光板に光を導く導光部を備え、前記光源からの光を前記液晶表示部のバックライトとして使用する画像読取装置であって、前記導光部を、前記光源の近傍であって前記光源の移動経路に沿って延出形成した前記導光板で構成してある点にある。
【０００９】
上述の構成によれば、原稿照明用の光源からの光をその近傍にまで延出形成した導光板に直接的に導くことが可能となり、さらに、光源が移動してもその移動経路に沿って延出形成されているので、光源から導光板に導光するための光ファイバなどの別途の導光部材を設ける必要が無くなるのである。
【００１０】
同第二の特徴構成は、同請求項２に記載した通り、原稿に光を照射する光源と、原稿からの反射光に基づいて原稿の画像データを得る画像読取部と、液晶部と前記液晶部の背面に配置された導光板とを備えた液晶表示部と、前記光源から前記導光板に光を導く導光部を備え、前記光源からの光を前記液晶表示部のバックライトとして使用する画像読取装置であって、前記導光部を、前記光源の近傍に延出形成した前記導光板で構成するとともに、前記液晶部と前記導光板との間に蓄光部材を設けてある点にある。
【００１１】
上述の構成によれば、原稿読取時に光源が移動したときに、光源から導光部に導光されなくなっても、それまで蓄光部材に蓄えられたエネルギーに基づく発光により液晶部が照明されるので、光源の移動に対応して導光部を構成する必要が無く、簡単且つ安価に構成することができるのである。
【発明の効果】
【００１２】
以上説明した通り、本発明によれば、専用の光源を備えることなく、簡単且つ安価な構造で安定して液晶部を照明できる導光部を備えた画像読取装置を提供することができるようになった。
【発明を実施するための最良の形態】
【００１３】
以下に本発明による画像読取装置の実施形態を説明する。画像読取装置１としてのフラットベッドスキャナは、図１及び図２に示すように、原稿ガラス２上に載置された原稿に光を照射する光源としての白色の冷陰極線管３１を備えた光源部３と、前記光源部３から照明され、原稿からの反射光に基づいて原稿の画像データを得る画像読取部４と、原稿からの反射光を前記画像読取部４に導くミラースキャン方式の集光光学系５と、装置に関する各種情報を表示する液晶表示部６とを備えて構成されている。
【００１４】
前記液晶表示部６は、アクティブマトリックス方式の液晶部６１と前記液晶部６１の背面に配置された導光板６２とを備えて構成される。前記導光板６２は光源部３の移動経路に沿って延出形成され、その底面及び側面にはアルミ等の反射層が設けられている。
【００１５】
図１（ｂ）に示すように、前記光源部３は、スライダー３３に、前記冷陰極線管３１と、前記冷陰極線管３１からの光を原稿に向けて反射する反射ミラー３２とを取り付けて構成され、前記スライダー３３がスライドレール３４上に副走査方向に摺動可能に支持されている。
【００１６】
前記集光光学系５は原稿からの反射光を取り込む第一ミラー５１と、第二ミラー５２と、第三ミラー５３と、第三ミラー５３からの光線束を原稿読取部４に合焦させるレンズ５４とを備えて構成され、前記光源部３と、前記第一ミラー５１と、前記第二ミラー５２と、前記第三ミラー５３とが図中の実線で示された位置から点線で示された位置まで走査（副走査）して、原稿の画像情報が読み取られる。
【００１７】
画像読取装置１に電源が投入されると、冷陰極線管３１が点灯されて発光を開始する。前記反射ミラー３２には主走査方向の有効画像領域の外側に開口部３５が形成されており、前記冷陰極線管３１からの光が、前記開口部３５を経て前記導光板６２に照射され、前記導光板６２で散乱されて均一化された後に前記液晶部６１背面から照射される。これにより、前記液晶部６１に表示された情報がクリアに認識可能に表示される。
【００１８】
前記冷陰極線管３１の光は前記開口部３５を介して一部が前記導光板６２に照射されるが、前記開口部３５は前記反射ミラー３２の主走査方向の有効画像領域の外側に形成されているので、原稿読取のための配光分布が不均一とならないように構成されている。
【００１９】
前記画像読取装置１が原稿読取動作を開始すると、図１に示すように、前記光源部３は実線で示された位置から破線で示された位置まで移動するが、前記導光板６２は前記光源部３が移動してもその移動経路に沿って延出形成されているのでスキャン中でも前記冷陰極線管３１の光は、前記開口部３５を介して前記導光板６２に照射される。
【００２０】
以上のように構成することで、前記光源部３から前記導光板６２に導光するための光ファイバなどの別途の導光部材を設ける必要が無くなるのである。
【００２１】
以下に別実施形態を説明する。上述した実施形態では、前記導光板６２が光源部３の移動経路に沿って延出形成され、スキャン中でも前記冷陰極線管３１の光が前記導光板６２に照射されるものであったが、図３に示すように、前記導光板６２を、原稿先端位置より手前側に設定されている待機位置（ホームポジション）にある前記光源部３の近傍に延出形成するとともに、前記液晶部６１と前記導光板６２との間に蓄光部材７を設けるものであっても良い。
【００２２】
前記蓄光部材７は、太陽光や照明の光エネルギーを蓄えることで夜間や暗所中、長時間残光を示す蓄光材料を樹脂に添加して構成されるもので、前記光源部３がホームポジションにある間は前記冷陰極線管３１の光が前記開口部３５を介して前記導光板６２に照射され、前記導光板６２で散乱されて均一化された後に前記蓄光部材７を通って前記液晶部６１背面に照射される。その間、前記蓄光部材７は光エネルギーを蓄えることができる。
【００２３】
前記画像読取装置１が原稿読取動作を開始すると、前記光源部３はホームポジションから移動するので前記冷陰極線管３１の光が前記導光板６２に照射されることはないが、この間は前記蓄光部材７に蓄えられた光エネルギーが光に変換され放出され、その光が前記液晶部６１背面に照射されるのである。これにより、前記液晶部６１に表示された情報がクリアに認識可能に表示される。
【００２４】
以上のように構成することで、原稿読取時に前記光源部３が移動したときに、前記光源部３から前記導光板６２に導光されなくなっても、それまで前記蓄光部材７に蓄えられたエネルギーに基づく発光により前記液晶部６１が照明されるので、前記光源部３の移動に対応して前記導光板６２を幅広に構成する必要が無く、簡単且つ安価に構成することができるのである。
【００２５】
上述した画像読取装置１は複写機や複写機、プリンタ、ファックス機能を備えた複合機に搭載され使用されるものでも良く、また、スタンドアロンの画像読取装置として構成されるものでも良い。
【図面の簡単な説明】
【００２６】
【図１】（ａ）は画像読取装置の正断面図、（ｂ）は画像読取装置の側断面図
【図２】導光板の説明図
【図３】別実施形態における導光板の説明図
【符号の説明】
【００２７】
１：画像読取装置
３：光源部
４：画像読取部
６：液晶部表示部
７：蓄光部材
３１：冷陰極線管
６１：液晶部
６２：導光板
【図１】
2006019848.tif 000003
【図２】
2006019848.tif 000004
【図３】
2006019848.tif 000005